(57)【要約】      （修正有）【課題】薄型ＵＳＢコネクタのキャップを着脱しやすく、確実に強く固定できる薄型ＵＳＢコネクタを有するメモリカードの構造を提供する。【解決手段】メモリカード本体を有し、メモリカード本体の一端に薄型ＵＳＢコネクタが設けられ、かつ少なくとも一つの凹み部が設けられたメモリカードと、薄型ＵＳＢコネクタを収納するように包み、対応の位置に突起部が設けられたキャップとを含み、メモリカードとキャップとが結合された時に、凹み部と突起部が互いに係合した薄型ＵＳＢコネクタを有するメモリカードの改良構造によって、キャップをメモリカード本体および薄型ＵＳＢコネクタに強く被らせ、係合の強さを向上、改善できる。【選択図】図１
0003136069.tif 000002
【実用新案登録請求の範囲】
【請求項１】
メモリカード本体を有し、前記メモリカード本体の一端に薄型ＵＳＢコネクタが設けられ、かつ少なくとも一つの凹み部が設けられたメモリカードと、
前記薄型ＵＳＢコネクタを収納するように包み、対応の位置に突起部が設けられたキャップとを含み、
前記メモリカードと前記キャップとが結合された時に、前記凹み部と前記突起部が互いに係合したことを特徴とする薄型ＵＳＢコネクタを有するメモリカードの改良構造。
【請求項２】
前記メモリカード本体に複数のメモリカードインターフェース端子が設けられ、前記薄型ＵＳＢコネクタがメモリカード本体の一端から延び出されてなるコネクタ本体を有し、前記コネクタ本体に複数のＵＳＢインターフェース端子が設けられたことを特徴とする請求項１に記載の薄型ＵＳＢコネクタを有するメモリカードの改良構造。
【請求項３】
前記凹み部が、メモリカード本体における薄型ＵＳＢコネクタの両側の箇所及び薄型ＵＳＢコネクタの先端に設けられ、前記突出部が前記キャップの両端に設けられたことを特徴とする請求項１に記載の薄型ＵＳＢコネクタを有するメモリカードの改良構造。
【請求項４】
前記凹み部が、前記薄型ＵＳＢコネクタの両側に設けられ、前記突出部が前記キャップ内部の両側に設けられたことを特徴とする請求項１に記載の薄型ＵＳＢコネクタを有するメモリカードの改良構造。
【請求項５】
前記キャップの内部に薄型ＵＳＢコネクタを収容するための収容空間が形成され、前記収容空間の両側にガイド溝がそれぞれ設けられ、前記ガイド溝に沿って前記キャップを薄型ＵＳＢコネクタを収納するように覆わせることを特徴とする請求項１に記載の薄型ＵＳＢコネクタを有するメモリカードの改良構造。
【請求項６】
メモリカード本体を有し、前記メモリカード本体の一端に薄型ＵＳＢコネクタが設けられたメモリカードと、
前記薄型ＵＳＢコネクタを収納するように包むキャップと、
前記メモリカードと前記キャップとの間に設置され、少なくとも一つの凹み部及び少なくとも一つの突出部を有し、前記メモリカードと前記キャップとが結合された時に、前記凹み部と前記突起部が互いに係合する係合部とを含むことを特徴とする薄型ＵＳＢコネクタを有するメモリカードの改良構造。
【考案の詳細な説明】
【技術分野】
【０００１】
本考案は、薄型ＵＳＢコネクタが結合されたメモリカードに関するものである。
【背景技術】
【０００２】
フラッシュメモリのような不揮発性メモリを格納媒体として作製したシリコン記録装置として、例えば、ＵＳＢ対応フラッシュメモリおよびメモリカードなどは、容量が大きく、体積が小さく、重量が軽く、省電力やデータ伝送率が高いなどの利点を有するため、消費者に速やかに選ばれ、好きになってしまう。そのうち、ＵＳＢ対応フラッシュメモリがＰＣ周辺に広く適応され、個人バックアップやコピーまたは電子ファイル伝送として使用されており、メモリカードが、デジタル音楽や写真や画像などのデジタルマルチメディアファイルを記録、保存する格納媒体として、デジタルウォークマン（登録商標）、ＰＤＡ、デジタルカメラ、ビデオカメラ、カメラ付き携帯電話などの携帯式電子製品に付属されることが良く見られている。
【０００３】
前記二つの、市場が融合するため、先行技術ではメモリカードに薄型ＵＳＢコネクタを結合する技術が既に提案され、例えば、特許文献１の「ＵＳＢインターフェースを有するＳＤメモリカード」、特許文献２の「接続インターフェースを２通り有するメモリカード（一）」に掲示されている。
【０００４】
しかし、従来の薄型ＵＳＢコネクタを設置したメモリカードは、一端に薄型ＵＳＢコネクタを設置した後に、ＵＳＢコネクタの端子を保護するためキャップが常に付設され、該キャップがメモリカードの一端に確実に強く位置決めされなく、キャップだけで該薄型ＵＳＢコネクタを収納するように包むため、ゆるんで脱落する場合がしばしばある。
【０００５】
そのため、本考案者は、前記欠点が改善するため、熱心に研究をし、さらに学術理論の運用により、やっと合理な設計且つ前記の欠点を有効に改良できる本考案を提案した。
【特許文献１】台湾実用新案Ｍ２６５７１９号
【特許文献２】台湾実用新案Ｍ２７６２８５号
【考案の開示】
【考案が解決しようとする課題】
【０００６】
本考案の主な目的は、薄型ＵＳＢコネクタのキャップを着脱し易いとともに、確実に強く固定できる利点を兼備する薄型ＵＳＢコネクタを有するメモリカードの改良構造を提供した。
【課題を解決するための手段】
【０００７】
前記目的を達成するため、本考案は、メモリカード本体を有し、前記メモリカード本体の一端に薄型ＵＳＢコネクタが設けられ、かつ少なくとも一つの凹み部が設けられたメモリカードと、前記薄型ＵＳＢコネクタを収納するように包み、対応の位置に突起部が設けられたキャップとを含み、前記メモリカードと前記キャップとが結合された時に、前記凹み部と前記突起部が互いに係合しすることを特徴とする薄型ＵＳＢコネクタを有するメモリカードの改良構造を提供する。
【０００８】
本考案は、以下の有益な効果がある。
本考案は、メモリカードおよびキャップ上に互いに係合する凹み部と突起部を設置することで係合部を構成し、キャップを薄型ＵＳＢコネクタに強く被らせ、係合の強さを向上、改善でき、弛みにより脱落し易いという問題を避けられる。
【０００９】
本考案の特徴及び技術内容をより理解させるため、以下に本考案に関わる詳しい説明及び添付図面を参照するが、それらの添付図面が参考及び説明のみに使われ、本考案の主張範囲を狭義的に局限するものではないことは言うまでもないことである。
【考案を実施するための最良の形態】
【００１０】
図１ないし図３を参照すると、本考案は、薄型ＵＳＢコネクタを有するメモリカードの改良構造を提供し、メモリカード１とキャップ２とを含み、本実施例では、該メモリカード１がＳＤメモリカードであって、メモリカード本体１１を有し、該メモリカード本体１１がシート状で、該メモリカード本体１１の内部に回路ユニット（図を略す）が設けられた。該メモリカード本体１１の表面にＳＤメモリカード規格に符合する複数のメモリカードインターフェース端子１２が設けられ、これらのメモリカードインターフェース端子１２がメモリカード本体１１の内部の回路ユニットに電気的に接続されている。
【００１１】
該メモリカード本体１１の一端に薄型ＵＳＢコネクタ１３が突設され、薄型ＵＳＢコネクタ１３がメモリカード本体１１の一端から延び出されてなるコネクタ本体１４を有し、該コネクタ本体１４の表面に複数のＵＳＢインターフェース端子１５が設けられ、該ＵＳＢインターフェース端子１５がメモリカード本体１１の内部の回路ユニットに電気的に接続されている。
【００１２】
該キャップ２は、薄型ＵＳＢコネクタ１３の外部を被覆できる中空カバーで、その内部に薄型ＵＳＢコネクタ１３を収容できる収容空間２１が形成され、該収容空間２１の両側にガイド溝２２がそれぞれ設けられ、前記ガイド溝に沿ってキャップ２を薄型ＵＳＢコネクタ１３を収納するように包ませる。
【００１３】
該メモリカード本体１１における薄型ＵＳＢコネクタ１３の両側及び薄型ＵＳＢコネクタ１３の一端に第１の凹み部１６および第２の凹み部１７がそれぞれ設けられ、該第１の凹み部１６がメモリカード本体１１の一端に凹む凹溝で、該第２の凹み部１７が薄型ＵＳＢコネクタ１３の一端に凹む長手形状の凹溝である。また、キャップ２の対応位置に第１の突出部２３および第２の突出部２４が設置され、該第１の突出部２３がキャップ２の前端に突出された突起で、該第２の突出部２４がキャップ２の後端に突出された長手形状の突起であり、メモリカード１とキャップ２の双方が結合する時に、第１および第２の凹み部１６、１７と第１及び第２の突出部２３、２４を互いに係合する。
【００１４】
該薄型ＵＳＢコネクタ１３の両側に第３の凹み部１８がそれぞれ設けられ、該第３の凹み部１８が薄型ＵＳＢコネクタ１３の両側に凹む凹溝である。また、薄型ＵＳＢコネクタ１３に被るキャップ２のガイド溝２２の両側には対応する第３の突出部２５が設けられ、該第３の突出部２５がガイド溝２２の両側に突出された突起で、薄型ＵＳＢコネクタ１３とキャップ２の双方が結合する時に、第３の凹み部１８と第３の突出部２５を互いに係合させ、このようにすることで、本考案に係る薄型ＵＳＢコネクタを有するメモリカードの改良構造を形成する。
【００１５】
本考案は、該メモリカード本体１１の薄型ＵＳＢコネクタ１３における両側及び薄型ＵＳＢコネクタ１３の一端に凹み部１６、１７が設けられ、キャップ２の対応位置に突出部２３、２４が設置され、双方が結合する時に互いに係合できる。また、該薄型ＵＳＢコネクタ１３の両側に凹み部１８が設けられ、且つ、薄型ＵＳＢコネクタ１３に被るキャップ２のガイド溝２２の両側には突出部２５が設けられ、双方が結合する時に互いに係合できる。
【００１６】
メモリカード本体１１、薄型ＵＳＢコネクタ１３およびキャップ２上に、互いに係合する凹み部１６、１７、１８および突出部２３、２４、２５を設置することで、係合部およびガイド部を構成し、キャップ２をメモリカード本体１１及び薄型ＵＳＢコネクタ１３に強く被らせ、係合の強さを向上、改善でき、弛めて脱ぎ落とされ易い欠点を避けられる。
【００１７】
以上のように、単に本考案の好ましい具体的な実施例に過ぎなく、本考案の実用新案登録請求の範囲を局限するものではなく、いずれの当該分野における通常の知識を有する専門家が本考案の分野の中で、適当に変更や修飾などを実施できるが、それらの実施のことが本考案の主張範囲内に納入されるべきことが言うまでもないことである。
【図面の簡単な説明】
【００１８】
【図１】図１は、本考案に係るメモリカード構造の分解斜視図である。
【図２】図２は、本考案に係るメモリカード構造の他の角度の分解斜視図である。
【図３】図３は、本考案に係るメモリカード構造の組合斜視図である。
【符号の説明】
【００１９】
１メモリカード
２キャップ
１１メモリカード本体
１２メモリカードインターフェース端子
１３薄型ＵＳＢコネクタ
１４コネクタ本体
１５  ＵＳＢインターフェース端子
１６第１の凹み部
１７第２の凹み部
１８第３の凹み部
２１収容空間
２２ガイド溝
２３第１の突出部
２４第２の突出部
２５第３の突出部
【図１】
0003136069.tif 000003
【図２】
0003136069.tif 000004
【図３】
0003136069.tif 000005